(57)【要約】【課題】  施療機における設置スペースが限られているような場合であっても可及的にスペースを要さず、また多種の施療動作による多様な施療感をもたらす事が可能な施療機の膨縮袋構造を提供する。【解決手段】  圧縮空気給排装置４１ａからの給排気をこれと連通状に介設されたホース４１１ａにより伝達されて、施療機１ａの適所に配設される膨縮袋が膨縮するようにした施療機の膨縮袋構造であって、膨縮可能な内部空間を有する膨縮部４２ａと該膨縮部４２ａの周縁部に設けられた非膨縮縁部４８ａとを備えた密閉型平坦袋状の膨縮袋を重設すると共に、これら両膨縮袋の非膨縮縁部の一側を固着して重設膨縮袋４ａを構成し、該重設膨縮袋のうち一方の膨縮袋の非膨縮縁部４８ａの他側を施療機１ａに固着して、重設膨縮袋４ａの各膨縮袋を同時又は個別に膨縮させるように構成する。【選択図】  図４
2008000224.tif 000002
【特許請求の範囲】
【請求項１】
圧縮空気給排装置からの給排気をこれと連通状に介設されたホースにより伝達されて、施療機の適所に配設される膨縮袋が膨縮するようにした施療機の膨縮袋構造であって、該施療機の膨縮袋構造は、膨縮可能な内部空間を有する膨縮部と該膨縮部の周縁部に設けられた非膨縮縁部とを備えた密閉型平坦袋状の膨縮袋を重設すると共に、これら両膨縮袋の非膨縮縁部の一側を固着して重設膨縮袋を構成し、該重設膨縮袋のうち一方の膨縮袋の非膨縮縁部の他側を施療機に固着して、重設膨縮袋の各膨縮袋を同時又は個別に膨縮させるようにした事を特徴とする施療機の膨縮袋構造。
【請求項２】
前記重設膨縮袋は、施療機の中心を跨いで左右に対称に配備されている事を特徴とする請求項１記載の施療機の膨縮袋構造。
【請求項３】
前記重設膨縮袋は、施療機に固着されていない他方の膨縮袋の一側又は他側に指圧部材を突設した重設膨縮袋である事を特徴とする請求項１及び請求項２記載の施療機の膨縮袋構造。
【請求項４】
前記重設膨縮袋は、各膨縮袋間に硬状平板の膨縮安定部材を介設した重設膨縮袋である事を特徴とする請求項１乃至請求項３記載の施療機の膨縮袋構造。
【請求項５】
前記重設膨縮袋は、施療機に固着されていない他方の膨縮袋上に硬状平板の膨縮安定部材を配設した重設膨縮袋である事を特徴とする請求項１乃至請求項４記載の施療機の膨縮袋構造。
【請求項６】
前記重設膨縮袋は、複数の重設膨縮袋を組合せた多重設膨縮袋であり、多重設膨縮袋の一の重設膨縮袋のうち一方の膨縮袋の非膨縮縁部の他側を施療機に固着して、多重設膨縮袋の各膨縮袋を同時又は個別に膨縮させるようにした事を特徴とする請求項１乃至請求項４記載の施療機の膨縮袋構造。
【発明の詳細な説明】
【技術分野】
【０００１】
本発明は、圧縮空気給排装置による空気の給排気により膨縮する袋状の膨縮袋を有し、該膨縮袋により空圧施療を実施する事が可能な施療機の膨縮袋構造に関するものである。
【背景技術】
【０００２】
従来より、圧縮空気給排装置による空気の給排気により膨縮する膨縮袋により、施療者の施療部位を空圧施療する構成のものは良く知られており、このような膨縮袋は、椅子やマット又はベッドの適所に設けたものや、持ち運び便利な携帯型のものが使用されている。
【０００３】
また、最近では施療者の背部や脚部のみならず、腕部や手部などを施療可能に構成した施療機が開発されるなど、施療範囲の拡大が押し進められている。
【０００４】
例えば、図２２乃至図２４に示す従来技術は、圧縮空気の給排に応じて膨脹・収縮する膨縮機構（膨縮袋）によって、使用者（施療者）の手部に断続的に圧迫を加えてマッサージ（施療）を行なう機構を備えた手用空気圧マッサージ機（施療機）に関するもので、該手用空気圧マッサージ機１は、図２２に示したように椅子本体２の両肘掛部２１の上面適所に、固定板１１の上部左右に一定間隔を存して対設される膨縮袋１２・１２を各々内装しており、椅子本体２の座部下部に外部電源（図示せず）に接続される圧縮空気給排装置１４を配設し、該装置１４と各膨縮袋１２・１２間に各々ホース１３・１３を介設して、圧縮空気給排装置１４からの給排気を、ホース１３・１３を介して各膨縮袋１２・１２に連繋させ、各膨縮袋１２・１２を所定の時間毎のサイクルで繰り返し膨縮させる事ができる。
【０００５】
また、前記椅子本体２の両肘掛部２１の上面適所に配設される膨縮袋１２は、図２３及び図２４に示したように、固定板１１の上部左右に一定間隔を存して重合状に膨縮袋１２・１２・１２・１２をそれぞれ対設させる事で、これらを圧縮空気給排気装置で順次膨縮するよう給排気させ、使用者の人体手部３及び下腕部を両側から順次挟持して、圧迫感のあるマッサージを実施する事ができる。
【０００６】
よって、使用者は、前記椅子本体２の座部に着座して、人体手部３をこれら一対の膨縮袋１２・１２間に載設し、圧縮空気給排装置１４に接続される外部電源を入力するだけで該電源からの電力供給により、人体手部３及び下腕部を各膨縮袋１２・１２が両側から挟持し、適度な加圧マッサージする事ができる。
【特許文献１】特開特開平１０−２６３０２９号公報（第４頁、図１、図３、図４）
【発明の開示】
【発明が解決しようとする課題】
【０００７】
ところで、上記のような膨縮袋は、施療者の腕部や手部なども施療できるよう、施療範囲を広げた構成として、椅子の肘掛け部の平坦な上面に設けられているのであるが、施療部位を両側から挟持して施療を行うようにするものであるために、一定間隔を存して左右に重合袋状の膨縮部を対設した構成となっている。
【０００８】
しかしながら、肘掛け部の限られたスペースである平坦上面に上記のような構成の膨縮袋を設ける場合、従来の肘掛け部の上部幅が従来よりも大きくなってしまい、施療機のコンパクト化に逆行し、従来に存在しなかった課題を新たに生じさせる事になる。
【０００９】
さらに、前記従来の膨縮袋は、施療部位を両側から挟持する単一の施療動作を行うため、一設置箇所における多様な施療感をもたらす事が今後の課題となっていた。
【００１０】
そこで、本発明は、上記問題点を解消する為に成されたものであり、施療機における設置スペースが限られているような場合であっても可及的にスペースを要さず、また多種の施療動作による多様な施療感をもたらす事が可能な施療機の膨縮袋構造を提供する事を目的とするものである。
【課題を解決するための手段】
【００１１】
すなわち、本発明の施療機の膨縮袋構造は、圧縮空気給排装置からの給排気をこれと連通状に介設されたホースにより伝達されて、施療機の適所に配設される膨縮袋が膨縮するようにした施療機の膨縮袋構造であって、該施療機の膨縮袋構造は、膨縮可能な内部空間を有する膨縮部と該膨縮部の周縁部に設けられた非膨縮縁部とを備えた密閉型平坦袋状の膨縮袋を重設すると共に、これら両膨縮袋の非膨縮縁部の一側を固着して重設膨縮袋を構成し、該重設膨縮袋のうち一方の膨縮袋の非膨縮縁部の他側を施療機に固着して、重設膨縮袋の各膨縮袋を同時又は個別に膨縮させるように構成したものである。
【００１２】
また、本発明の施療機の膨縮袋構造は、前記重設膨縮袋を、施療機の中心を跨いで左右に対称に配備させた構成にしている。
【００１３】
また、本発明の施療機の膨縮袋構造は、前記重設膨縮袋を、施療機に固着されていない他方の膨縮袋の一側又は他側に指圧部材を突設した重設膨縮袋にしている事を特徴としている。
【００１４】
更に、本発明の施療機の膨縮袋構造は、前記重設膨縮袋を、各膨縮袋間に硬状平板の膨縮安定部材を介設した重設膨縮袋にしている事を特徴とする。
【００１５】
更に、本発明の施療機の膨縮袋構造は、前記重設膨縮袋を、施療機に固着されていない他方の膨縮袋上に硬状平板の膨縮安定部材を配設した重設膨縮袋にしている事を特徴としている。
【００１６】
更にまた、本発明の施療機の膨縮袋構造は、複数の重設膨縮袋を組合せた多重設膨縮袋であり、多重設膨縮袋の一の重設膨縮袋のうち一方の膨縮袋の非膨縮縁部の他側を施療機に固着して、多重設膨縮袋の各膨縮袋を同時又は個別に膨縮させるようにして構成したものである。
【発明の効果】
【００１７】
よって、本発明の施療機の膨縮袋構造は、圧縮空気給排装置からの給排気をこれと連通状に介設されたホースにより伝達されて、施療機の適所に配設される膨縮袋が膨縮するようにした施療機の膨縮袋構造であって、該施療機の膨縮袋構造は、膨縮可能な内部空間を有する膨縮部と該膨縮部の周縁部に設けられた非膨縮縁部とを備えた密閉型平坦袋状の膨縮袋を重設すると共に、これら両膨縮袋の非膨縮縁部の一側を固着して重設膨縮袋を構成し、該重設膨縮袋のうち一方の膨縮袋の非膨縮縁部の他側を施療機に固着して、重設膨縮袋の各膨縮袋を同時又は個別に膨縮させるようにした構成のものであるため、限られた施療機における設置スペースであっても可及的にスペースを要さず、施療機のコンパクト化を図る事ができる。
【００１８】
しかも、多種の施療動作による多様な施療感をもたらす事が可能である。例えば、前記重設膨縮袋を水平面に上下に重ねて施療者に向かって上方へ押圧する場合、上側の前記膨縮部だけを膨張させると、該膨縮部が水平状態から施療者方向前記一側斜めに傾斜しながら膨張する事になり、また、下側の膨縮部だけを膨張させると、水平状態から施療者方向前記他側斜めに傾斜しながら膨張するので、施療者の施療部位に対して揉み施療のような施療感をもたらす事ができ、また、上下の各膨縮部を選択して施療者の所望に応じた膨縮方向における施療を行う事ができる。
【００１９】
また、前記重設膨縮袋の上下の前記各膨縮部を同時に膨縮させると、施療者方向へ垂直に膨張する強力な押圧施療を実施する事ができる。
【００２０】
更に、前記重設膨縮袋の上側の膨縮部と下側の膨縮部を順次膨縮させる場合においては、例えば上側の膨縮部が施療者方向前記一側斜めに傾斜しながら膨張し、次いで下側の膨縮部が施療者方向前記他側斜めに傾斜しながら膨張する動作を行う動作を繰り返して、捏ねるような揉み施療、つまり捏揉み施療を行う事ができる。
【００２１】
また、本発明の施療機の膨縮袋構造は、前記重設膨縮袋を、施療機の中心を跨いで左右に対称に配備された構成にしているため、左右対称に配備された各重設膨縮袋の上下の各膨縮部のうち、どちらか一方の左右各膨縮部だけを同時に膨張させると、当接している施療者の施療部位を中央から左右両側へ揉み伸ばすような施療動作により揉伸ばし施療を行う事ができ、他方の左右各膨縮部だけを同時に膨張させると、当接している施療者の施療部位を左右両側から中央へ挟み揉むような施療動作により挟揉み施療を行う事ができるなど、多様な施療が実現できる。
【００２２】
また、本発明の施療機の膨縮袋構造は、前記重設膨縮袋を、施療機に固着されていない他方の膨縮袋の一側又は他側に指圧部材を突設した重設膨縮袋にした構成のものであるため、前記揉み施療に指圧効果が加わって指圧揉み施療をもたらす事ができ、また、前記押圧施療は指押圧施療となり、更に前記捏揉み施療は指圧捏揉み施療、前記揉伸ばし施療は指圧揉伸ばし施療、前記挟揉み施療は指圧挟揉み施療を実施する事ができる。
【００２３】
更に、本発明の施療機の膨縮袋構造は、前記重設膨縮袋を、各膨縮袋間に硬状平板の膨縮安定部材を介設した重設膨縮袋にした構成のものであるため、施療者の施療部位を前記膨縮部による膨張圧力にて施療をもたらす際に生じる反作用力に抵抗する事ができ、安定した施療動作を実現する事ができる。
【００２４】
更に、本発明の施療機の膨縮袋構造は、前記重設膨縮袋を、施療機に固着されていない他方の膨縮袋上に硬状平板の膨縮安定部材を配設した重設膨縮袋にした構成のものであるため、施療者の施療部位を的確に押圧して、安定した施療動作を実現する事ができる。
【００２５】
更にまた、本発明の施療機の膨縮袋構造は、複数の重設膨縮袋を組合せた多重設膨縮袋であり、多重設膨縮袋の一の重設膨縮袋のうち一方の膨縮袋の非膨縮縁部の他側を施療機に固着して、多重設膨縮袋の各膨縮袋を同時又は個別に膨縮させるようにした構成のものであるため、例えば、凹形状をなしその内部に施療者の施療部位を嵌入するための凹部内部に設置すると、施療部位の周部における施療範囲の拡大を図る事ができ、また、各膨縮部による複数の膨縮動作は、掴み揉み施療、またはさすり揉み施療を実施し得る。
【発明を実施するための最良の形態】
【００２６】
以下に、本発明の施療機の膨縮袋構造を、図面に示す一実施形態に基づきこれを詳細に説明する。
図１は本発明の施療機の膨縮袋構造を設けた施療機の一実施形態を示す斜視図であり、図２は本発明の施療機の膨縮袋構造を設けた施療機の一実施形態を示す使用状態図であり、図３は本発明の施療機の膨縮袋構造の施療機における設置形態の一実施形態を示す断面説明図であり、図４は本発明の施療機の膨縮袋構造の一実施形態を示す斜視図であり、図５は本発明の施療機の膨縮袋構造の一実施形態を示す側面図であり、図６乃至図１０は本発明の施療機の膨縮袋構造における膨縮動作の一実施形態を示す側面説明図であり、図１１及び図１２は本発明の施療機の膨縮袋構造における上下に連結した各膨縮部を左右対称に分離して膨縮動作する一実施形態を示す側面説明図であり、図１３は本発明の施療機の膨縮袋構造における指圧部材と共に膨縮動作する一実施形態を示す側面説明図であり、図１４は本発明の施療機の膨縮袋構造における膨縮安定部材を設けた一実施形態を示す側面図であり、図１５乃至図１８は本発明の施療機の膨縮袋構造における膨縮安定部材と共に凹部内部に設置して膨縮動作する一実施形態を示す側面説明図であり、図１９乃至図２１は本発明の施療機の膨縮袋構造における膨縮部を設けた一実施形態を示す側面図であり、図２２乃至図２４は従来技術を示す参考図である。
【００２７】
すなわち、本発明の施療機の膨縮袋構造は、図４及び図５の一実施形態で示すように、ポンプ及び分配器からなる圧縮空気給排装置４１ａからの給排気をこれと連通状に介設されたホース４１１ａにより伝達されて、施療機１ａの適所に配設される膨縮袋が膨縮するようにした施療機の膨縮袋構造であって、該施療機の膨縮袋構造は、膨縮可能な内部空間を有する膨縮部４２ａと該膨縮部４２ａの周縁部に設けられた非膨縮縁部４８ａとを備えた密閉型平坦袋状の膨縮袋を重設すると共に、これら両膨縮袋の非膨縮縁部４８ａの一側を固着して重設膨縮袋４ａを構成したものである。
【００２８】
また、前記重設膨縮袋４ａの前記各膨縮袋が固着する前記非膨縮縁部４８ａの一側に対し、該重設膨縮袋４ａのうち一方の膨縮袋の非膨縮縁部４８ａの他側を、施療機１ａ側に固着して構成している。
【００２９】
図５の図面では、前記各膨縮部４２ａの一側縁に夫々形成した連結片４４１ａを、止着部材４４２ａにより互いを止着して連結するようにしたものを示している。尚、前記連結部４４ａは、上下の各膨縮部４２ａと一体成形されたものであってもよい。
【００３０】
また、前記上下の各膨縮部４２ａのうち、下側の膨縮部４２ａの前記連結部４４ａとは反対側である前記非膨縮縁部４８ａの他側にも連結部４４ａを設けており、該他側縁の連結部４４ａを施療機の適所にある設置部１６ａに連結させるようにしている。図４及び図５の図面では止着部材４４２ａにより該連結部４４ａと設置部１６ａとを連結している。尚、このような重設膨縮袋４ａの該設置部１６ａとしては、平坦面だけでなく、曲面などの形状面も含まれ、他にも凹形状をなしその内部に施療者の施療部位を嵌入するための凹部又はＬ字状部の内部面であってもよい。
【００３１】
図４に示すように、前記膨縮部４２ａの内部に空気を給排気するための給排口となる空気給排口部４３ａを、前記重設膨縮袋４ａの一側に突設しているが、該重設膨縮袋４ａの各膨縮部４２ａに対して、一つずつ該空気給排口部４３ａが設けられているので、重設膨縮袋として構成された各膨縮部４２ａは、同時に又は個別に膨縮する事ができるようになっている。尚、その膨縮動作の制御は図示しないが電子回路から成る制御手段による。
【００３２】
前記重設膨縮袋４ａの膨縮動作に関して図６に示すのは、前記上下の各膨縮部４２ａのうち、上側の膨縮部４２ａだけを膨張させた態様である。上下の各膨縮部４２ａを連結する連結部４４ａが図面では左側に位置するので、上側の膨縮部４２ａは水平状態から上方（施療者方向）左（前記一側）斜めに傾斜しながら膨張する事になる。上側の膨縮部４２ａを繰り返す事により、施療者の施療部位に対して揉み施療のような動作が行える。
【００３３】
図７に示すのは、前記上下の各膨縮部４２ａのうち、下側の膨縮部４２ａだけを膨張させた態様である。前記設置部１６ａと連結する前記連結部４４ａが図面では右側に位置するので、下側の膨縮部４２ａは水平状態から上方（施療者方向）右（前記他側）斜めに傾斜しながら膨張する事になる。下側の膨縮部４２ａを繰り返す事により、図６と同様、揉み施療のような動作を行う。
【００３４】
前記上下の各膨縮部４２ａを同時期に膨張させる態様を図８に示す。上側の膨縮部４２ａは上方左斜めに傾斜しながら膨張する事になるが、下側の膨縮部４２ａは上方右斜めに傾斜しながら膨張するので、各膨縮部４２ａの膨張方向は相殺されて、重設膨縮袋４ａは上方へ垂直に膨張する事になる。それで、施療者の施療部位に対し、強力な押圧施療を実施する事ができる。
【００３５】
図９に示すように、本発明の重設膨縮袋４ａは、前記上側の膨縮部４２ａと前記下側の膨縮部４２ａを順次膨縮させる事も可能である。例えば、一動作周期として上側の膨縮部４２ａを上方左斜めに傾斜しながら膨張させ、次いで下側の膨縮部４２ａを上方右斜めに傾斜しながら膨張させる。その後、下側の膨縮部４２ａを収縮させてから、上側の膨縮部４２ａを収縮させる。
【００３６】
または、他種の一動作周期として上側の膨縮部４２ａを上方左斜めに傾斜しながら膨張させてから、下側の膨縮部４２ａを上方右斜めに傾斜しながら膨張させ、その後、上側の膨縮部４２ａを収縮させから、下側の膨縮部４２ａを収縮させる事も可能である。或いは、他の動作周期として、図１０に示すように初回動作が前記上側の膨縮部４２ａではなく、下側の膨縮部４２ａを膨張させてもよい。
【００３７】
このような、前記上下の各膨縮部４２ａによる動作周期を繰り返す事により、捏ねるような揉み施療、つまり捏揉み施療を行う事が可能となる。
【００３８】
図１１及び図１２に示すのは、前記重設膨縮袋４ａを、前記施療機１ａの中心を跨いで左右に対称に配備されている実施形態のものである。
【００３９】
この形態の場合、さらに違った施療動作が可能となる。まず図１１の形態は、左右の重設膨縮袋４ａの前記上下の各膨縮部４２ａを連結する前記各連結部４４ａが、左右外側に夫々位置するものであるが、上下の各膨縮部４２ａのうち、上側の各膨縮部４２ａだけを同時に膨張させると、当接している施療者の施療部位を中央から左右両側へ揉み伸ばすような施療動作により、揉伸ばし施療を行う事ができる。逆に、左右重設膨縮袋４ａの下側の各膨縮部４２ａだけを同時に膨張させると、当接している施療者の施療部位を左右両側から中央へ挟み揉むような施療動作により、挟揉み施療を行う事になる。
【００４０】
図１２の形態で示すように、左右の重設膨縮袋４ａの前記上下の各膨縮部４２ａを連結する前記各連結部４４ａが、内側中央に夫々位置すると共に、上下の各膨縮部４２ａのうち、上側の各膨縮部４２ａだけを同時に膨張させると、当接している施療者の施療部位に対し前記挟揉み施療を行う事ができる。逆に、左右重設膨縮袋４ａの下側の各膨縮部４２ａだけを同時に膨張させると、当接している施療者の施療部位に対し前記揉伸ばし施療を行う事になる。
【００４１】
図１１及び図１２の形態において、左右の重設膨縮袋４ａの前記上下の各膨縮部４２ａを全て同時に膨張させる場合は、前述のように強力な押圧施療を実施する事ができる。
【００４２】
また、左右の重設膨縮袋４ａの上側の前記各膨縮部４２ａだけを膨張させた後、下側の各膨縮部４２ａを連続的に膨張させると、前述のように捏揉み施療を行う事になる。尚、下側の各膨縮部４２ａだけを膨張させた後、上側の前記各膨縮部４２ａを膨張させてもよい。
【００４３】
図１３に示す実施形態は、前記重設膨縮袋４ａに施療者の施療部位に指圧効果をもたらすための指圧部材４５ａを設けたものである。すなわち、前記重設膨縮袋４ａのうち、前記施療機１ａに固着されていない他方の膨縮袋の一側又は他側に該指圧部材４５ａを突設している。
【００４４】
図面では前記指圧部材４５ａを上側の膨縮部４２ａの左右両端（前記一側及び前記他側）において、夫々上方へ突設するように構成している。
【００４５】
このように、前記重設膨縮袋４ａに前記指圧部材４５ａを設ける事により、該重設膨縮袋４ａは、前述した動作を行う場合に得られた施療効果に加えて、指圧作用ももたらす。すなわち、前記揉み施療に指圧効果が加わって、指圧揉み施療をもたらす事になる。また、前記押圧施療は指押圧施療となり、更に前記捏揉み施療は指圧捏揉み施療、前記揉伸ばし施療は指圧揉伸ばし施療、前記挟揉み施療は指圧挟揉み施療となる。
【００４６】
また、前記重設膨縮袋４ａの前記膨縮部４２ａによる比較的ソフトな押圧感と共に、前記指圧部材４５ａによる指圧感の組み合わせにより、前記重設膨縮袋４ａは手揉み感覚の施療感を実現する事ができる。
【００４７】
尚、前記指圧部材４５ａを前記止着部材４４２ａと一体的に形成する事も可能である。これにより部品コストを軽減できる。
【００４８】
図１４に示す実施形態は、前記重設膨縮袋４ａの各膨縮袋間に硬状平板の膨縮安定部材４６ａを介設したものである。
【００４９】
さらに、前記重設膨縮袋４ａの前記施療機１ａに固着されていない他方の膨縮袋上においても、前記膨縮安定部材４６ａを配設している。
【００５０】
前記重設膨縮袋４ａの各膨縮袋間に介設した前記膨縮安定部材４６ａと、前記重設膨縮袋４ａの前記施療機１ａに固着されていない他方の膨縮袋上に配設した前記膨縮安定部材４６ａとは、回動連結部４６１ａで回動可能に連結させている。
【００５１】
また、前記回動連結部４６１ａを、前記上下の各膨縮部４２ａを連結する前記連結部４４ａと同側である左側（前記一側）になるようにしている。尚、該膨縮安定部材４６ａは硬状平板のものを適用する事ができる。
【００５２】
更に、前記指圧部材４５ａを上側の前記膨縮部４２ａの左右両端において、夫々上方へ突設させている。
【００５３】
このような構成の前記重設膨縮袋４ａにおける膨縮動作に関し、図１５の実施形態に示すように、上側の膨縮部４２ａだけを膨張させると、該膨縮部４２ａは水平状態から上方左斜めに傾斜しながら膨張すると共に、前記膨縮安定部材４６ａも前記回動連結部４６１ａを軸として回動して左斜めに傾斜して、右側の前記指圧部材４５ａは施療者の右側施療部位に対し、前記指圧揉み施療を行う。
【００５４】
逆に、前記下側の膨縮部４２ａだけを膨張させる場合は、図１６に示すように、該下側の膨縮部４２ａは水平状態から上方右斜めに傾斜しながら膨張すると共に、前記膨縮安定部材４６ａ及び上側の膨縮部４２ａも右斜めに傾斜して、左側の前記指圧部材４５ａは施療者の左側施療部位に対し、前記指圧揉み施療を行う。
【００５５】
また、図１７に示すように、前記上下の各膨縮部４２ａを同時期に膨張させると、上方へ垂直に前記指圧部材４５ａが施療動作して、前記指押圧施療を行う。
【００５６】
更に、図１８に示すように、前記上下の各膨縮部４２ａを順次繰り返し膨縮させる事により、前記捏揉み施療を行う事が可能となる。
【００５７】
前記重設膨縮袋４ａに前記膨縮安定部材４６ａを上記の仕方で設ける事により、施療者の施療部位を前記膨縮部４２ａによる膨縮の圧力にて施療をもたらす際に生じる反作用力に抵抗する事ができ、安定した施療動作を実現する事ができるのである。
【００５８】
図１９に示した他の実施形態のものは、複数の前記重設膨縮袋４ａを組合せた多重設膨縮袋であり、該多重設膨縮袋の一の重設膨縮袋４ａのうち一方の膨縮袋の前記非膨縮縁部４８ａの他側を前記施療機１ａに固着して、該多重設膨縮袋の各膨縮袋を同時又は個別に膨縮させるようにした構成である。
【００５９】
図面では、前記重設膨縮袋４ａの各膨縮袋の両方に膨縮部４２１ａを夫々設けたものを示している。
【００６０】
また、図面では、凹形状をなしその内部に施療者の施療部位を嵌入するための凹部５ａ内部に重設膨縮袋４ａを設けた形態とし、該凹部５ａ内部の左右に前記各膨縮部４２１ａを夫々立設させている。尚、前記凹部５ａは、凹状のみならずＬ字状の形状であってもよい。
【００６１】
前記上下の各膨縮部４２ａのうち下側の膨縮部４２ａは、前記左側（前記一側）の膨縮部４２１ａと通気連結部４７ａにて通気すると共に可動するよう連結しており、前記上側の膨縮部４２ａは、前記右側（前記他側）の膨縮部４２１ａと通気連結部４７ａにて通気すると共に可動するよう連結して構成している。
【００６２】
それで、図２０に示すように前記上下の各膨縮部４２ａのうち上側の膨縮部４２ａを膨張させると、該上側の膨縮部４２ａは上方左斜めに傾斜しながら膨張すると共に、該上側の膨縮部４２ａと連通する前記右側の膨縮部４２１ａも上方左斜めに向かって起上しながら膨張する事になる。
【００６３】
よって、前記凹部５ａに嵌入した施療者の施療部位を、下方から右側上面にまで回り込むようにしながら膨張する事ができ、施療範囲を拡大する事ができると共に、掴み揉み施療またはさすり揉み施療を行う事ができるのである。
【００６４】
逆に、前記上下の各膨縮部４２ａのうち下側の膨縮部４２ａを膨張させる場合は、該下側膨縮部４２ａと連通する前記左側の膨縮部４２１ａの膨張と共に、下方から左側上面にまで回り込むようにしながら膨張圧迫して、前記同様の施療効果が得られる。
【００６５】
図１９の形態において前記上下の各膨縮部４２ａを同時期に膨張する場合、該上下の各膨縮部４２ａと共に前記左右の膨縮部４２１ａも膨張する事になり、前記凹部５ａに嵌入した施療者の施療部位の周部全体を一斉に圧迫する態様となる。
【００６６】
また、図２０及び図２１に示すように、前記上下の各膨縮部４２ａを、順次膨縮させる事により、前記凹部５ａに嵌入した施療者の施療部位を、下方から右側上面及び下方から左側上面の施療範囲において掴み揉み施療またはさすり揉み施療を行って、揉みほぐすような施療感をもたらす事も可能である。
【００６７】
本発明の施療機の前記重設膨縮袋４ａは、例えば、図１及び図２の実施形態に示したような椅子型の施療機１ａの適所に設ける事ができる。
【００６８】
前記椅子型の施療機１ａは、座部１１ａと、該座部１１ａの後側にリクライニング可能に連結する背凭れ部１２ａに加えて、該座部１１ａの前側に上下方向へ揺動可能に連結した足載せ部１３ａとからなっており、また前記座部１１ａの両側に肘掛け部１４ａを立設すると共に、前記背凭れ部１２ａの左右両側に前方に向かって突出した側壁部２ａを夫々配設して構成したものである。
【００６９】
図１に示すように、前記背凭れ部１２ａには、その中央部に左右一対の施療子３１ａを備えた昇降自在の施療機構３ａを設けている。該施療機構３ａは、背凭れ部１２ａの内部左右に設けた左右一対のガイドレール３２ａに沿って背凭れ部１２ａの上端から下端にかけて昇降するようにしている。
【００７０】
前記左右一対の施療子３１ａは、モータ等を駆動源とした機械式の施療機構で作動するものであり、前記背凭れ部１２ａに凭れた施療者の首部、背部、腰部、臀部等の背面全域を、たたき、揉み、ローリング、振動、指圧などの多様な形態で施療するようにしたものである。
【００７１】
そして、前述したように前記施療機１ａの各所定の位置には、前記重設膨縮袋４ａを夫々設け、また前記した構成の圧縮空気給排装置４１ａは前記座部１１ａの下部空間に配備している。
【００７２】
例えば、図１及び図３に示すように前記背凭れ部１２ａの左右側において、上部、中部、下部に夫々前記重設膨縮袋４ａを設け、施療者の背中及び腰部を施療するよう構成している。すなわち、上部の左右各重設膨縮袋４ａは左右肩甲骨付近の位置にくるように、また中部の左右各重設膨縮袋４ａは左右上腕或いはその付近の左右背中の位置にくるように、更に下部の左右各重設膨縮袋４ａは腰部または臀部の位置にくるよう夫々配設する事ができる。尚、図３は、施療機１ａに設けられる凹部５ａにおける重設膨縮袋４ａの設置の一実施形態を示したものである。
【００７３】
また、前記座部１１ａには、後部側に臀下部用、また腿部用の前記重設膨縮袋４ａを夫々埋設している。
【００７４】
前記足載せ部１３ａは、人体の脛部及び足先部を夫々嵌入させる左右一対の凹部を夫々形成したものであり、各凹部に前記重設膨縮袋４ａを左右一対として対設するよう配設させるか、または、各凹部の底部に重設膨縮袋４ａを夫々設けるかして、凹部内部で人体の脛部及び足先部に対する施療を実施するようにしている。
【００７５】
前記左右の肘掛け部１４ａの上部には、人体の手や前腕を嵌入保持して施療するための凹部を形成する腕保持部１５ａを設けており、該腕保持部１５ａの内部において、前記重設膨縮袋４ａを配設している。尚、該凹部内部において前述するような形態で重設膨縮袋４ａを配設してもよいし、又は該重設膨縮袋４ａを夫々対設するよう構成してもよい。
【００７６】
前記左右の側壁部２ａは、座部１１ａに着座した施療者の肩または上腕側方となる位置に配設しており、図１及び図３に示すように、該左右の側壁部２ａの内側面に前記重設膨縮袋４ａを埋設している。
【００７７】
更に前記施療機１ａには、図１に示すように、前記左右の側壁部２ａの上部から幅方向中心に向かって突起する突起体２２ａを夫々設けており、該各突起体２２ａには人体肩部の上面やその前面に対して施療するための前記重設膨縮袋４ａを夫々配設している。
【００７８】
このように、前記重設膨縮袋４ａは、前記施療機１ａの平坦部または凹部など、あらゆる箇所に設ける事ができ、その適用形態は実に多様である。
【００７９】
尚、前記施療機１ａに関しては椅子型のものを示したが、これに限らず、例えばマット型やベッド型、または小型の施療機にも前記重設膨縮袋４ａを適用する事ができる。
【図面の簡単な説明】
【００８０】
【図１】本発明の施療機の膨縮袋構造を設けた施療機の一実施形態を示す斜視図である。
【図２】本発明の施療機の膨縮袋構造を設けた施療機の一実施形態を示す使用状態図である。
【図３】本発明の施療機の膨縮袋構造の施療機における設置形態の一実施形態を示す断面説明図である。
【図４】本発明の施療機の膨縮袋構造の一実施形態を示す斜視図である。
【図５】本発明の施療機の膨縮袋構造の一実施形態を示す側面図である。
【図６】本発明の施療機の膨縮袋構造における膨縮動作の一実施形態を示す側面説明図である。
【図７】本発明の施療機の膨縮袋構造における膨縮動作の一実施形態を示す側面説明図である。
【図８】本発明の施療機の膨縮袋構造における膨縮動作の一実施形態を示す側面説明図である。
【図９】本発明の施療機の膨縮袋構造における膨縮動作の一実施形態を示す側面説明図である。
【図１０】本発明の施療機の膨縮袋構造における膨縮動作の一実施形態を示す側面説明図である。
【図１１】本発明の施療機の膨縮袋構造における上下に連結した各膨縮部を左右対称に分離して膨縮動作する一実施形態を示す側面説明図である。
【図１２】本発明の施療機の膨縮袋構造における上下に連結した各膨縮部を左右対称に分離して膨縮動作する一実施形態を示す側面説明図である。
【図１３】本発明の施療機の膨縮袋構造における指圧部材と共に膨縮動作する一実施形態を示す側面説明図である。
【図１４】本発明の施療機の膨縮袋構造における膨縮安定部材を設けた一実施形態を示す側面図である。
【図１５】本発明の施療機の膨縮袋構造における膨縮安定部材と共に凹部内部に設置して膨縮動作する一実施形態を示す側面説明図である。
【図１６】本発明の施療機の膨縮袋構造における膨縮安定部材と共に凹部内部に設置して膨縮動作する一実施形態を示す側面説明図である。
【図１７】本発明の施療機の膨縮袋構造における膨縮安定部材と共に凹部内部に設置して膨縮動作する一実施形態を示す側面説明図である。
【図１８】本発明の施療機の膨縮袋構造における膨縮安定部材と共に凹部内部に設置して膨縮動作する一実施形態を示す側面説明図である。
【図１９】本発明の施療機の膨縮袋構造における膨縮部を設けた一実施形態を示す側面図である。
【図２０】本発明の施療機の膨縮袋構造における膨縮部を設けた一実施形態を示す側面図である。
【図２１】本発明の施療機の膨縮袋構造における膨縮部を設けた一実施形態を示す側面図である。
【図２２】従来技術を示す参考図である。
【図２３】従来技術を示す参考図である。
【図２４】従来技術を示す参考図である。
【符号の説明】
【００８１】
１ａ  施療機
１１ａ  座部
１２ａ  背凭れ部
１３ａ  足載せ部
１４ａ  肘掛け部
１５ａ  腕保持部
１６ａ  設置部
２ａ  側壁部
３ａ  施療機構
３１ａ  施療子
３２ａ  ガイドレール
４ａ  重設膨縮袋
４１ａ  圧縮空気給排装置
４１１ａ  ホース
４２ａ  膨縮部
４２１ａ  膨縮部
４３ａ  空気給排口部
４４ａ  連結部
４４１ａ  連結片
４４２ａ  止着部材
４５ａ  指圧部材
４６ａ  膨縮安定部材
４６１ａ  回動連結部
４７ａ  通気連結部
４８ａ  非膨縮縁部
５ａ  凹部
【図１】
2008000224.tif 000003
【図２】
2008000224.tif 000004
【図３】
2008000224.tif 000005
【図４】
2008000224.tif 000006
【図５】
2008000224.tif 000007
【図６】
2008000224.tif 000008
【図７】
2008000224.tif 000009
【図８】
2008000224.tif 000010
【図９】
2008000224.tif 000011
【図１０】
2008000224.tif 000012
【図１１】
2008000224.tif 000013
【図１２】
2008000224.tif 000014
【図１３】
2008000224.tif 000015
【図１４】
2008000224.tif 000016
【図１５】
2008000224.tif 000017
【図１６】
2008000224.tif 000018
【図１７】
2008000224.tif 000019
【図１８】
2008000224.tif 000020
【図１９】
2008000224.tif 000021
【図２０】
2008000224.tif 000022
【図２１】
2008000224.tif 000023
【図２２】
2008000224.tif 000024
【図２３】
2008000224.tif 000025
【図２４】
2008000224.tif 000026